【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群と、負の屈折力の第２レンズ群と、正の屈折力の第３レンズ群と、正の屈折力の第４レンズ群より構成され、各レンズ群が移動してズーミングを行うズームレンズであって、広角端から望遠端へのズーミングにおける前記第３レンズ群の光軸上の移動量をＭ３、望遠端におけるレンズ全長をＬｔ、前記第３レンズ群の焦点距離をｆ３、望遠端におけるレンズ全系の焦点距離をｆｔとするとき、
−０．５０＜Ｍ３／Ｌｔ＜−０．２５
０．２０＜ｆ３／ｆｔ＜０．４０
なる条件を満足することを特徴とするズームレンズ。
【請求項２】
前記第３レンズ群の望遠端と広角端における結像倍率を各々β３ｔ、β３ｗとするとき、
３．０＜β３ｔ／β３ｗ＜６．０
なる条件を満足することを特徴とする請求項１のズームレンズ。
【請求項３】
広角端におけるレンズ全長をＬｗ、広角端におけるレンズ全系の焦点距離をｆｗとするとき、
５．０＜（Ｌｗ＊Ｌｔ）／（ｆｗ＊ｆｔ）＜１１．０
なる条件を満足することを特徴とする請求項１又は２のズームレンズ。
【請求項４】
前記第２レンズ群の望遠端と広角端における結像倍率を各々β２ｔ、β２ｗ、前記第４レンズ群の望遠端と広角端における結像倍率を各々β４ｔ、β４ｗとするとき、
１．６＜（β２ｔ＊β４ｔ）／（β２ｗ＊β４ｗ）＜２．５
なる条件を満足することを特徴とする請求項１乃至３のいずれか１項のズームレンズ。
【請求項５】
前記第３レンズ群の最も物体側に配置されたレンズは、物体側のレンズ面が凸形状であり、前記レンズの物体側のレンズ面の頂点と、前記レンズの物体側のレンズ面と外周部との交点との間に、開放Ｆナンバーの光束を決定するＦナンバー決定部材が配置されていることを特徴とする請求項１乃至４のいずれか１項のズームレンズ。
【請求項６】
望遠端において、光軸上の無限遠にある点光源から発する光束が像面へ到達するまでに各レンズ面に入射するときの入射高が最大となるレンズ面の有効径をＤｔとするとき、
０．０８＜Ｄｔ／ｆｔ＜０．１７
なる条件を満足することを特徴とする請求項１乃至５のいずれか１項のズームレンズ。
【請求項７】
前記第１レンズ群と前記第２レンズ群は、ズーミングに際していずれも像側へ凸形状の軌跡に沿って移動することを特徴とする請求項１乃至６のいずれか１項のズームレンズ。
【請求項８】
前記第４レンズ群は、フォーカシングに際して光軸上を移動することを特徴とする請求項１乃至７のいずれか１項のズームレンズ。
【請求項９】
前記第３レンズ群は、１以上の非球面を含むことを特徴とする請求項１乃至８のいずれか１項のズームレンズ。
【請求項１０】
前記第３レンズ群を、光軸に対して垂直方向の成分を持つように移動させて、光軸と垂直方向に結像位置を移動させることを特徴とする請求項１乃至９のいずれか１項のズームレンズ。
【請求項１１】
固体撮像素子に像を形成することを特徴とする、請求項１乃至１０のいずれか１項に記載のズームレンズ。
【請求項１２】
請求項１乃至１１のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１５
【補正方法】変更
【補正の内容】
【００１５】
本発明のズームレンズは、物体側より像側へ順に、正の屈折力の第１レンズ群と、負の屈折力の第２レンズ群と、正の屈折力の第３レンズ群と、正の屈折力の第４レンズ群より構成され、各レンズ群が移動してズーミングを行うズームレンズであって、広角端から望遠端へのズーミングにおける前記第３レンズ群の光軸上の移動量をＭ３、望遠端におけるレンズ全長をＬｔ、前記第３レンズ群の焦点距離をｆ３、望遠端におけるレンズ全系の焦点距離をｆｔとするとき、
−０．５０＜Ｍ３／Ｌｔ＜−０．２５
０．２０＜ｆ３／ｆｔ＜０．４０
なる条件を満足することを特徴としている。
【手続補正３】
【補正対象書類名】明細書
【補正対象項目名】００９６
【補正方法】変更
【補正の内容】
【００９６】
［数値実施例１］
単位 mm
面データ
面番号       r        d      nd        νd
1         28.568    0.90   1.84666    23.9           
2         15.653    3.20   1.83481    42.7           
3       1500.778  (可変)                             
4         52.751    0.70   1.88300    40.8           
5          6.507    3.10                             
6        -26.085    0.50   1.69680    55.5           
7         47.401    0.40                             
8         13.148    1.40   1.92286    18.9           
9         35.542  (可変)                             
10 ＳＰ絞り         -0.30                             
11*         6.197    2.10   1.58313    59.4           
12*       -21.638    0.20                             
13          5.137    1.40   1.51742    52.4           
14         14.073    0.50   1.80518    25.4           
15          3.684    0.50                             
16 ＦＰ絞り         (可変)                             
17         14.217    1.70   1.69680    55.5           
18         86.474  (可変)                             
19          ∞       1.00   1.51633    64.1           
20          ∞       0.5 
非球面データ
第11面
K =-5.49106e-001  B =-1.27242e-004  C =-4.81677e-006  
第12面
K =-3.03419e+001  B =-1.49147e-004  C = 1.30929e-006  
各種データ
ズーム比      5.75 
焦点距離       6.55     9.83    15.70    23.47    37.65  
Fナンバー      3.26     3.64     4.22     4.85     6.08  
半画角 （度） 30.61    21.52    13.86     9.38     5.88  
像高           3.88     3.88     3.88     3.88     3.88  
レンズ全長    43.83    41.89    43.68    47.89    55.30  
BF             5.41     7.08     8.79     9.63     6.81  
d 3            0.40     2.68     5.81     8.76    11.87  
d 9           16.20     9.94     5.20     2.39     0.70  
d16            5.53     5.89     7.59    10.81    19.62  
d18            4.25     5.92     7.63     8.47     5.65  
ズームレンズ群データ
群  始面    焦点距離  
1    1      35.25  
2    4      -8.99  
3   10      11.76  
4   17      24.18  
【手続補正４】
【補正対象書類名】明細書
【補正対象項目名】００９７
【補正方法】変更
【補正の内容】
【００９７】
［数値実施例２］
単位 mm
面データ
面番号       r        d      nd        νd
1         30.541    0.80   1.84666    23.9           
2         17.397    2.90   1.80400    46.6           
3       14437.816  (可変)                             
4         41.120    0.70   1.88300    40.8           
5          6.544    3.10                             
6        -21.290    0.50   1.69680    55.5           
7         78.509    0.40                             
8         13.223    1.40   1.92286    18.9           
9         37.291  (可変)                             
10 ＳＰ絞り         -0.30                             
11*         6.192    2.00   1.58313    59.4           
12*       -22.887    0.20                             
13          5.184    1.40   1.51742    52.4           
14         13.142    0.50   1.80518    25.4           
15          3.638    0.50                             
16 ＦＰ絞り        (可変)                             
17         13.389    1.70   1.69680    55.5           
18        103.159  (可変)                             
19          ∞       1.00   1.51633    64.1           
20          ∞       0.5 
非球面データ
第11面
K =-5.83859e-001  B =-1.29515e-004  C =-3.91259e-006  D = 5.76005e-008  
第12面
K =-2.94728e+001  B =-1.42203e-004  C = 5.17729e-007  D = 2.36372e-007
各種データ
ズーム比      5.31 
焦点距離       6.70     9.68    15.47    22.74    35.60  
Fナンバー      4.75     5.22     6.02     6.80     8.14  
半画角 （度） 30.04    21.82    14.07     9.67     6.21  
像高           3.88     3.88     3.88     3.88     3.88  
レンズ全長    43.49    41.56    43.77    48.71    56.81  
BF             5.82     7.52     9.44    10.33     7.90  
d 3            0.40     2.64     6.34    10.01    14.29  
d 9           15.89     9.85     4.90     2.25     0.81  
d16            5.58     5.75     7.29    10.32    18.02  
d18            4.66     6.36     8.28     9.17     6.74 
ズームレンズ群データ
群  始面    焦点距離  
1    1      39.61  
2    4      -9.59  
3   10      12.24  
4   17      21.91
【手続補正５】
【補正対象書類名】明細書
【補正対象項目名】００９８
【補正方法】変更
【補正の内容】
【００９８】
［数値実施例３］
単位 mm
面データ
面番号       r        d      nd        νd
1         21.017    1.10   1.84666    23.9           
2         14.047    3.50   1.77250    49.6           
3         96.418  (可変)                             
4         28.407    0.70   1.88300    40.8           
5          6.122    3.20                             
6        -62.491    0.60   1.77250    49.6           
7         14.195    0.40                             
8         10.646    1.70   1.92286    18.9           
9         30.111  (可変)                             
10 ＳＰ絞り         -0.50                             
11*         5.045    2.25   1.80447    40.9           
12*        38.529    0.20                             
13         21.194    0.50   1.80809    22.8           
14          4.183    0.60                             
15         11.043    1.30   1.69680    55.5           
16        -67.906    0.18                             
17 ＦＰ絞り         (可変)                             
18         13.870    1.60   1.60311    60.6           
19         81.251  (可変)                             
20          ∞       1.00   1.51633    64.1           
21          ∞                              
非球面データ
11面
K =-7.29620e-004  B =-3.58262e-004  C =-2.87700e-006  D =-5.14369e-007  
12面
K =-2.13283e+001  B = 1.28553e-004  C = 1.02419e-005  
各種データ
ズーム比      7.13 
焦点距離       6.31    11.73    16.86    34.12    44.97  
Fナンバー      2.69     3.21     3.61     4.86     6.08  
半画角 （度） 31.57    18.27    12.95     6.48     4.92  
像高           3.88     3.88     3.88     3.88     3.88  
レンズ全長    45.17    46.97    49.81    58.16    63.38  
BF             6.84 7.93 8.27 6.90 5.19 
d 3            0.30     5.28     8.03    12.03    12.08  
d 9           15.31     8.59     5.84     1.93     0.85  
d17            5.05     7.50    10.00    19.63    27.59  
d19            5.68     6.77     7.11     5.74     4.03  
ズームレンズ群データ
群  始面    焦点距離  
1    1      35.88  
2    4      -8.11  
3   10      12.01  
4   18      27.49